(57)【要約】【課題】撹拌容器の密閉性を保つ、好適な撹拌装置を提供することを目的とする。【解決手段】可撓性撹拌容器２と、該撹拌容器２を貫通すると共に、該撹拌容器に固定した駆動軸３と、前記可撓性容器２内の該駆動軸３に設けた撹拌翼６と、前記駆動軸３を往復駆動させる駆動手段７とよりなる撹拌装置１。【選択図】図１
2015196143.tif 000002
【特許請求の範囲】
【請求項１】
可撓性撹拌容器と、該撹拌容器を貫通すると共に、該撹拌容器に固定した駆動軸と、前記可撓性容器内の該駆動軸に設けた撹拌翼と、前記駆動軸を往復駆動させる駆動手段とよりなる撹拌装置。
【請求項２】
前記駆動軸に、前記可撓性撹拌容器のダメージ防止用の部材を固定したことを特徴とする請求項１に記載の撹拌装置。
【請求項３】
前記ダメージ防止用の部材は、前記駆動軸に、前記撹拌容器に当接する位置に固定されていることを特徴とする請求項２に記載の撹拌装置。
【請求項４】
該駆動軸に、添加物供給手段を設けたことを特徴とする請求項１乃至３のいずれか１に記載の撹拌装置。
【請求項５】
前記添加物は、酸素であることを特徴とする請求項４に記載の撹拌装置。
【発明の詳細な説明】
【技術分野】
【０００１】
本発明は、使い捨てバッグ（シングルユースバッグ）などの可撓性（弾性も含む）のある撹拌容器内の内容物を撹拌する撹拌装置に関する。
【背景技術】
【０００２】
医薬分野等で使用される液体などの撹拌においては、撹拌後の撹拌容器内の洗浄が困難であることから、撹拌容器は、再利用せず、一度きりの使用（シングルユース）となる。
【０００３】
このようなシングルユースの撹拌容器は、経済性の観点から、可撓性のある合成樹脂製（プラスチック製、エラストマー製）の使い捨て（シングルユース）バッグなどの可撓性容器が用いられる。
【０００４】
このシングルユースバッグ内の内容物の撹拌は、従来においては、バッグ内に挿入した回転式撹拌翼により、内容物を撹拌していたが、該回転式撹拌翼の回転軸とバッグとの間で摺動部分が存在し、この摺動部分を通じて、外部から容器内部に異物が挿入（コンタミ）したり、または、内容物が容器外部に漏れてしまうという危険性があった。
【０００５】
この摺動部分の問題点を解決するために、例えば、超電導を利用して、バッグ内に挿入した撹拌翼をバッグ底部から浮上させて、該撹拌翼の回転手段と非接触で該撹拌翼を回転させることにより、容器内の内容物を撹拌させる撹拌装置がある。この撹拌装置によれば、バッグを完全密閉状態で内容物を撹拌することができるので、異物の混入（コンタミ）や、内容物が容器外部に漏れる危険性はない（特許文献１）。
【先行技術文献】
【特許文献】
【０００６】
【特許文献１】特開２００６−３５０９８号
【発明の概要】
【発明が解決しようとする課題】
【０００７】
しかしながら、前記従来の回転翼の回転手段と非接触で撹拌翼を回転させる撹拌装置では、伝達トルクの関係から、撹拌翼を大きくできず、また、撹拌翼のデザインに制約があり、撹拌効率を高めることができないという欠点があった。
【０００８】
本発明はこれらの問題点を解消し、良好の撹拌を実現できる撹拌装置を提供できるようにしたものである。
【課題を解決するための手段】
【０００９】
前記の目的を達成すべく、本願の撹拌装置は、可撓性撹拌容器と、該撹拌容器を貫通すると共に、該撹拌容器に固定した駆動軸と、前記撹拌容器内の該駆動軸に設けた撹拌翼と、前記駆動軸を往復駆動させる手段とよりなり、該撹拌容器に固定された駆動軸を、該撹拌容器の可撓性、弾力性を利用して往復動できるようにすることにより、特別なシール部を設けることなく、該容器内を密閉状態で撹拌できるようにした。
【発明の効果】
【００１０】
本発明によれば、特別なシール部を設けることなく、可撓性撹拌容器と回転しない駆動軸と撹拌翼の一体構造が可能となり、容器を完全密閉状態とでき、異物の混入（コンタミ）や、内容物が容器外部に漏れる危険性が無くなる。また、撹拌翼を大きくすることができるなど、適切な流動・撹拌作用を得るための撹拌翼のデザインを自由に設計でき、無菌性と良好な撹拌の両方を実現することができる。
【図面の簡単な説明】
【００１１】
【図１】本発明の実施例１の撹拌装置の縦断面図である。
【図２】該撹拌装置の使用状態の説明図である。
【図３】該撹拌装置の使用状態の説明図である。
【発明を実施するための形態】
【００１２】
本発明を実施するための形態の実施例を以下に示す。
【実施例１】
【００１３】
本発明の実施例１を図１乃至図３によって説明する。
【００１４】
１は、本発明の撹拌装置を示し、２は、該撹拌装置１の可撓性撹拌容器であり、該可撓性撹拌容器２は、薬液や培養液などの被撹拌物（内容物）を収納する容器であって、例えば、全体或いは少なくとも一部において可撓性（弾性も含む）のある合成樹脂製（プラスチック製、エラストマー製）からなる使い捨てバッグなどからなる。
【００１５】
なお、該可撓性撹拌容器２は、後述するように、駆動軸３に従って該可撓性撹拌容器２の壁を上下動等の往復運動させた場合であっても、十分撓み、かつ、耐久性のあるものである。
【００１６】
３は、駆動軸であり、該駆動軸３は、前記可撓性撹拌容器２の天井壁２ａを貫通すると共に、該駆動軸３が貫通する前記可撓性撹拌容器２の貫通孔４の縁部において気密に固定されている。これにより、該可撓性撹拌容器２は、完全に密閉状態となる。
【００１７】
なお、前記駆動軸３に、前記可撓性撹拌容器２の内外を連通する貫通孔を設け、即ち、例えば、前記駆動軸３を、上端を閉口し、下端が開口したパイプ状とすると共に、前記可撓性撹拌容器２外から突出した該駆動軸２の側面部分に、前記駆動軸３のパイプ孔３ａ内に連通した供給口部５を設け、容器外部から内部に酸素などの気体の供給を行えるようにしてもよい。
【００１８】
６は、撹拌翼であり、該撹拌翼６は、前記撹拌容器２内の駆動軸３に１段、又は２段以上設けられ、該撹拌翼６の形状は、例えば、円形、楕円形、長円形など様々な形状がある。
【００１９】
なお、該駆動軸３に該撹拌翼６を固定する位置は、特に制限はない。
【００２０】
また、該撹拌翼６は、折り畳んで収納可能できるようにしてもよく、保管コストを下げることもできる。
【００２１】
７は、上下駆動モータなどの往復駆動装置を示し、該往復駆動装置７のモータ軸７ａは、前記撹拌容器２外に突出した前記駆動軸３の上端部に、締結手段８により連結されている。そして、該往復駆動装置７により、前記駆動軸３の撹拌翼６が、例えば上下動に往復移動される。
【００２２】
そして、該往復駆動装置７は、例えば、床９に載置した固定台１０の支柱１１の上端に横設した固定部材１２に固定されている。
【００２３】
なお、１３は、前記固定部材１２に前記モータ軸７ａを上下動自在に支持する、前記モータ軸７ａと前記固定部材１２との間に設けられたスラストベアリングである。
【００２４】
１４は、前記可撓性撹拌容器２の収納容器などの固定手段であり、該固定手段１４は、例えば上部が開口した有底筒体であり、例えば、前記床９に載置した台１５上に固定される。
【００２５】
なお、前記固定手段１４は、前記収納容器以外に、前記可撓性撹拌容器２を所望の形状に維持して固定できるものであればよい。また、前記可撓性撹拌容器２が、自立して前記台１５上に載置できる場合には、前記固定手段１４を省略してもよい。
【００２６】
１６は、前記撹拌容器２のダメージ防止用板を示し、該ダメージ防止用板１６は、その中央部において、前記撹拌容器２外の駆動軸３を貫通して固定されている。また、該ダメージ防止用板１６は、例えば、円形状、楕円形状、矩形状等の平板、又は  円形状、楕円形状、矩形状の、下方に突出する凸状又は下方が凹む凹状に湾曲した板などから形成され、特に、中心から半径方向外方に向かって同心円状に湾曲した下方に突出する凸状の円形状の板であるのが好ましい。
【００２７】
なお、前記ダメージ防止用板１６以外に、前記可撓性容器に当接する面が、平面、又は凹状、凸状に湾曲した湾曲面に形成されたダメージ防止用部材であってもよい。なお、該平面又は湾曲面は、前記ダメージ防止用板１６と同様に形成されたものがある。
【００２８】
また、前記ダメージ防止用部材の材質は、特に限定はなく、例えば、弾性部材がある。
【００２９】
また、該ダメージ防止用板１６を前記撹拌容器２内の駆動軸３に固定しても良い。
【００３０】
また、撹拌容器２外の駆動軸３に固定すると共に、該ダメージ防止用板１６を駆動軸３に、前記撹拌容器２の前記天井壁２ａと当接する位置に固定するのが好ましい。また、前記可撓性撹拌容器２内を陽圧（大気圧以上）にするのが好ましい。
【００３１】
次に、本発明の撹拌装置の作動及びその効果について説明する。
【００３２】
駆動軸３が固定された、被撹拌物を収納した可撓性撹拌容器２を収納容器などの固定手段１４に収納する。なお、該固定手段１４が収納容器である場合には、該収納容器内に前記可撓性撹拌容器２を挿入することにより、前記可撓性撹拌容器２は、その被撹拌物の重さにより変形して、該収納容器内に嵌合して、固定されるようになる。
【００３３】
なお、上記可撓性撹拌容器２内の上部は気体で満たされ、この気体は陽圧（大気圧以上）となるようにするのが好ましい。
【００３４】
そして、前記駆動軸３の上端を、前記往復駆動装置７のモータ軸７ａに締結手段８を介して連結する。
【００３５】
そして、前記往復駆動装置７を駆動することにより、上記撹拌翼６が前記被撹拌物内で上下動など往復動し、該被撹拌物が撹拌される。また、上下撹拌方式を採用することにより、撹拌性能を上げることができる。
【００３６】
この際、図２及び図３に示すように、前記可撓性撹拌容器２の天井壁２ａが上下に撓むので、上記駆動軸３が上下動等の往復移動ができるようになる。
【００３７】
そして、完全密閉で摺動部のない雰囲気にて良好な流動作用を得られるようになる。
【００３８】
また、上記ダメージ防止用板１６がない場合には、上記駆動軸３が往復動する際、この駆動軸３が固定された前記可撓性撹拌容器２の天井壁２ａの貫通孔４の縁部分のみに応力が集中するため、可撓性容器のように材質が弱いもの場合には、耐久性に問題が生ずる場合がある。
【００３９】
そこで、本発明においては、ダメージ防止用板１６を設けるとともに、前記撹拌容器２内を陽圧とし、前記駆動軸３が下方に移動する場合には、前記天井壁２ａを該ダメージ防止用板１６の下面で押圧するようにして、天井壁２ａの一部に応力を集中させないようにし、また、前記駆動軸３が上方に移動する場合は、撹拌容器２内の陽圧により天井面２ａが上方に押し上げられるようにして、上記天井壁２ａの一部に応力が集中しないようにし、可撓性の容器であっても、その破損を防止でき、耐久性を上げることができるようになる。
【００４０】
また、駆動軸３は回転するものではないので、該駆動軸３に添加物供給手段を容易に設けることができ、前記撹拌容器２内に酸素などの気体や液体、又は固体などの添加物を供給できるようになる。
【００４１】
また、本願発明は、回転軸を用いないことから、その取付公差の制約がなく、従って、前記可撓性撹拌容器２を往復動駆動装置に容易に脱着である。
【００４２】
なお、前記実施例においては、駆動軸３を垂設し、上下方向に移動する例を示したが、駆動軸３を横設し、横方向に移動するなど、駆動軸を任意の方向に向け、該任意の方向に往復移動するようにしてもよい。
【産業上の利用可能性】
【００４３】
本発明の撹拌装置は、医療品関係、食品関係等における撹拌に利用される。
【符号の説明】
【００４４】
１      撹拌装置
２      可撓性撹拌容器
２ａ    天井壁
３      駆動軸
３ａ    パイプ孔
４      貫通孔
５      供給口部
６      撹拌翼
７      往復駆動装置
７ａ    モータ軸
８      締結手段
９      床
１０    固定台
１１    支柱
１２    固定部材
１３    スラストベアリング
１４    固定手段
１５    台
１６    ダメージ防止用板
【図１】
2015196143.tif 000003
【図２】
2015196143.tif 000004
【図３】
2015196143.tif 000005